(57)【要約】【課題】設置物に大きな荷重が作用した場合でも設置物が大きく移動してしまうことを防止しつつも設置物の固定位置の連続的な調整を容易に行うことができる固定器具を提供する。【解決手段】設置物２の被設置物に対する固定位置を調整可能な固定器具４である。固定器具４は、設置物２を被設置物に固定し、固定器具４は、被設置物に固定される第１部材１０であって、複数の第２部材固定位置を有する第１部材１０と、設置物固定可能範囲を有する第２部材２０と、第１部材１０、第２部材２０および設置物２を固定する固定部材４０であって、第２部材２０は、複数の第２部材固定位置から選択された１つの位置で第１部材１０に固定され、設置物２は、設置物固定可能範囲内の位置で第２部材２０に固定される、固定部材４０とを備える。【選択図】図３
2016151158.tif 000002
【特許請求の範囲】
【請求項１】
設置物の被設置物に対する固定位置を調整可能な固定器具であって、前記固定器具は、前記設置物を前記被設置物に固定し、
前記固定器具は、
前記被設置物に固定される第１部材であって、複数の第２部材固定位置を有する第１部材と、
設置物固定可能範囲を有する第２部材と、
前記第１部材、前記第２部材および前記設置物を固定する固定部材であって、前記第２部材は、前記複数の第２部材固定位置から選択された１つの位置で前記第１部材に固定され、前記設置物は、前記設置物固定可能範囲内の位置で前記第２部材に固定される、固定部材と
を備える、固定器具。
【請求項２】
前記設置物固定可能範囲は、前記複数の第２部材固定位置の間隔以上である、請求項１に記載の固定器具。
【請求項３】
前記第１部材は、前記複数の第２部材固定位置に対応する複数の係合部を備え、
前記第２部材は、前記複数の係合部のいずれにも係合され得る被係合部を備える、請求項１または２に記載の固定器具。
【請求項４】
前記第２部材は、前記設置物固定可能範囲に対応する長孔を備え、
前記固定部材は、前記長孔を介して前記第２部材と前記設置物とを締結して固定する締結具である、請求項１〜３のいずれか一項に記載の固定器具。
【請求項５】
前記第１部材は、第１長孔を備え、
前記第２部材は、前記設置物固定可能範囲に対応する第２長孔を備え、
前記固定部材は、前記第１長孔および前記第２長孔を介して前記第１部材、前記第２部材および前記設置物を締結して固定する締結具である、請求項１〜３のいずれか一項に記載の固定器具。
【請求項６】
前記第１部材は、前記複数の第２部材固定位置のうちの少なくとも１つに対応するマーカーを備える、請求項１〜５のいずれか一項に記載の固定器具。
【発明の詳細な説明】
【技術分野】
【０００１】
本発明は、設置物の被設置物に対する固定位置を調整可能な固定器具に関する。
【背景技術】
【０００２】
ソーラーパネルを屋根の上に設置する場合に、通常、取付金具によりソーラーパネル用架台を屋根の上に固定し、その架台の上にソーラーパネルが支持固定される。
【０００３】
架台は、複数の縦桟と複数の横桟とを備えた格子状の構成を有し、複数の縦桟は、屋根上で屋根の傾斜方向に沿って相互に平行に配設されて複数の取付金具により屋根に固定され、複数の横桟は、これらの縦桟上に相互に平行に掛け渡して配設される。
【０００４】
ところで、屋根に不陸がある場合がある。例えば、ソーラーパネルをスレート屋根の上に設置する場合では、通常、施工時の踏み抜き転落防止のために、葺き替え金具を利用してスレート屋根を折板屋根で葺き替えることにより屋根を補強し、その折板屋根の上に架台を固定し、その架台の上にソーラーパネルが設置されるが、６ｍｍ程度の厚さのスレート屋根の場合には、隣接するスレート屋根との重なり部は、重なり部以外と比較して、スレート屋根の厚さよりも大きな１０ｍｍ程度高さが異なる（つまり、不陸がある）。
【０００５】
高さの異なる屋根にソーラーパネルを設置すると、ソーラーパネルの傾斜がソーラーパネル間で異なることになりソーラーパネルの外観が低下するだけではなく、ソーラーパネルの設置強度も低下する。例えばソーラーパネルの周囲の４箇所で固定する場合で屋根の高さが異なることに起因して１箇所の固定箇所の高さが他の３箇所の固定箇所の高さと異なる場合には、荷重が４箇所に均等にかからずに一部に集中してかかってしまい、荷重が４箇所に均等にかかる場合と比較してソーラーパネルの設置強度が低下してしまう。
【０００６】
これらの問題を解決するためには、架台の屋根への取り付け高さを調整可能な機構が必要となる。また、架台が大きく移動してしまうと危険なので、取り付け後に大きな荷重が作用した場合でも架台が大きく移動してしまうことを防止する必要もある。そのような取り付け高さを調整可能な機構は、例えば特許文献１に提案されている。
【０００７】
特許文献１で提案されている取り付け高さを調整可能な装置は、屋根に固定される支持部とその支持部の両端部から上方に突出する取付部とを有する断面Ｕ字状の取付金具を有する。その取付金具の取付部に上下方向に長い貫通孔が形成され、縦桟を取付部間に上下移動可能に嵌合し、貫通孔に通した締結ボルトで縦桟を締結することにより、縦桟の締結位置の高さを調整できる。さらに、この装置では、取付金具と締結ボルトとの間にワッシャが介在しており、このワッシャの取付金具側の面に、取付金具の複数の溝部にかみ合う複数の凸部が形成されていることにより、締結ボルトの上下方向の移動を阻止できるようになっている。
【先行技術文献】
【特許文献】
【０００８】
【特許文献１】特開平１１−１３２３８号公報
【発明の概要】
【発明が解決しようとする課題】
【０００９】
しかし、特許文献１が提案する構成では、取付金具に設けられた複数の溝部のピッチ単位でしか縦桟の高さを調整できないために、不連続な高さ調整しかできないという欠点がある。
【００１０】
本発明は、上記課題を解決するためになされたもので、設置物に大きな荷重が作用した場合でも設置物が大きく移動してしまうことを防止しつつも、設置物の固定位置の連続的な調整を容易に行うことができる固定器具を提供することを目的とする。
【課題を解決するための手段】
【００１１】
上記課題を解決するため、本発明は以下を特徴とする。
【００１２】
本発明に係る固定器具は、設置物の被設置物に対する固定位置を調整可能な固定器具であって、前記固定器具は、前記設置物を前記被設置物に固定し、前記固定器具は、前記被設置物に固定される第１部材であって、複数の第２部材固定位置を有する第１部材と、設置物固定可能範囲を有する第２部材と、前記第１部材、前記第２部材および前記設置物を固定する固定部材であって、前記第２部材は、前記複数の第２部材固定位置から選択された１つの位置で前記第１部材に固定され、前記設置物は、前記設置物固定可能範囲内の位置で前記第２部材に固定される、固定部材とを備えており、そのことにより上記目的が達成される。
【００１３】
上記固定器具において、前記設置物固定可能範囲は、前記複数の第２部材固定位置の間隔以上であってもよい。
【００１４】
上記固定器具において、前記第１部材は、前記複数の第２部材固定位置に対応する複数の係合部を備え、前記第２部材は、前記複数の係合部のいずれにも係合され得る被係合部を備えてもよい。
【００１５】
上記固定器具において、前記第２部材は、前記設置物固定可能範囲に対応する長孔を備え、前記固定部材は、前記長孔を介して前記第２部材と前記設置物とを締結して固定する締結具であってもよい。
【００１６】
上記固定器具において、前記第１部材は、第１長孔を備え、前記第２部材は、前記設置物固定可能範囲に対応する第２長孔を備え、前記固定部材は、前記第１長孔および前記第２長孔を介して前記第１部材、前記第２部材および前記設置物を締結して固定する締結具であってもよい。
【００１７】
上記固定器具において、前記第１部材は、前記複数の第２部材固定位置のうちの少なくとも１つに対応するマーカーを備えてもよい。
【発明の効果】
【００１８】
本発明によれば、第１部材は複数の第２部材固定位置を有し、第２部材は、複数の第２部材固定位置から選択された１つの位置で第１部材に固定されるので、第２部材の第１部材への固定位置を段階的に変更することができる。また、その固定位置は段階的にしか変更できないので、固定器具による設置物の被設置物への固定後に設置物に大きな荷重が作用した場合であっても設置物が大きく移動してしまうことを防止することができる。
【００１９】
また、第２部材は設置物固定可能範囲を有し、設置物は、設置物固定可能範囲内の位置で第２部材に固定されるで、設置物の第２部材への固定位置を連続的に変更することができる。
【００２０】
よって、本発明によれば、第２部材と第１部材との間の固定位置の段階的な調整により設置物に大きな荷重が作用した場合でも設置物が大きく移動してしまうことを防止することができ、さらに、第２部材と第１部材との間の固定位置の段階的な調整および設置物と第２部材との間の固定位置の連続的な調整により設置物の被設置物に対する固定位置を広範かつ連続的に調整することができる。
【図面の簡単な説明】
【００２１】
【図１】本発明の一実施形態の固定器具を用いたソーラーパネル用架台の屋根上への取り付けを示す分解斜視図である。
【図２】図１に示す固定器具を用いたソーラーパネル用架台の屋根上への取り付けを示す要部の分解斜視図である。
【図３】本発明の一実施形態の固定器具の斜視図である。
【図４】図４ａ、図４ｂ、図４ｃ、図４ｄおよび図４ｅは、図１に示す固定器具の第１部材の斜視図、正面図、側面図、上面図および底面図である。
【図５】図５ａ、図５ｂ、図５ｃ、図５ｄおよび図５ｅは、図１に示す固定器具の第２部材の斜視図、正面図、側面図、上面図および底面図である。
【図６】図６ａ、図６ｂおよび図６ｃは、それぞれ図１に示す固定器具の作用説明図である。
【図７】図７は、図１に示す固定器具の作用説明図である。
【図８】図８ａおよび図８ｂは、取付ブラケットの正面図および側面図である。
【図９】図９は架台の縦桟の一部切欠した斜視図である。
【発明を実施するための形態】
【００２２】
以下に本発明を実施するための形態を図面を参照して説明する。
【００２３】
以下の説明では、本発明の一実施形態の固定器具を用いてソーラーパネルを高さ調整可能にスレート屋根上に取り付ける場合を例にとり、本発明の実施の形態を説明する。しかし、本発明はこの実施の形態のみには限定されない。
【００２４】
図１は、本発明の一実施形態の固定器具としての高さ調整機能付き取付金具４を用いた設置物としてのソーラーパネル用架台２の被設置物としての屋根上への取り付けを示す分解斜視図を示し、図２はその要部の分解斜視図を示している。
【００２５】
（全体構成）
図１および図２に示すように、葺き替え金具７を利用して既存のスレート屋根６の上に折板屋根５０が取り付けられ、取付ブラケット３０および高さ調整機能付き取付金具４を利用して折板屋根５０の上にソーラーパネル用架台２が固定されている。
【００２６】
つまり、葺き替え金具７の頂部に固定された上部ボルト８を利用してスレート屋根６の上に折板屋根５０が取り付けられている。この折板屋根５０上に上部ボルト８により取付ブラケット３０が固定され、この取付ブラケット３０に高さ調整機能付き取付金具４が固定され、高さ調整機能付き取付金具４の高さ調整機能により架台２が折板屋根５０に高さ調整可能に固定されている。この架台２上にソーラーパネルが設置され固定される。
【００２７】
このような構成により、折板屋根５０の高さが異なる場合でも、高さ調整機能付き取付金具４の取付箇所ごとに架台２の高さを調整することができる。
【００２８】
（折板屋根）
折板屋根５０は、従来より使用されている葺き替え金具７を介してスレート屋根６上に取り付けられており、折板屋根５０の頂部から上方に向けて上部ボルト８が突出している。
【００２９】
（取付ブラケット）
図１、図２および図８に示すように、取付ブラケット３０は、折板屋根５０の頂部に載置される矩形状の載置片３１と、この載置片３１の長手方向の両端からＬ字形に折れ曲がる一対の取付片３２、３２とを有している。取付ブラケット３０の載置片３１に形成された孔に折板屋根５０の頂部から突出した上部ボルト８が挿通され、上部ボルト８に螺合されたナットによって取付ブラケット３０が折板屋根５０の頂部に固定されている。さらに、載置片３１の両側には折板屋根５０の頂部に沿うように斜め下方に折り曲げられた載置延長片３３がそれぞれ形成されている。また、取付片３２には、高さ調整機能付き取付金具４を取付ブラケットに固定する際に用いられる孔を有する。
【００３０】
（高さ調整機能付き取付金具）
高さ調整機能付き取付金具４は、図３〜図５に示すように、第１金具１０と、第１金具１０に上下移動可能に配置される第２金具２０と、第１金具１０、第２金具２０および設置物を固定する締結具４０と、を有する。第１金具１０には第１長孔１７が形成され、第２金具２０には第２長孔２７が形成されている。
【００３１】
第１金具１０は金属板を折り曲げることにより形成することができる。第１金具１０は、水平方向に長いベース部１１と、ベース部１１から立設された立設部１２と、を有する。この立設部１２は、縦片１３と、縦片１３の両端部からそれぞれ横方向に突出する側片１４、１４とを有し、横断面がコ字形に形成されている。側片１４の端縁には係合部１５が形成されている。この係合部１５は、側片１４の上下方向に設けられた複数の突部１６で形成することができる。つまり、係合部１５は、複数の凹凸を有する波状に形成されている。また、第１金具１０の縦片１３には、上下方向に長い第１長孔１７が形成されている。この第１長孔１７は、第２金具２０を第１金具１０に対して最も下の取り付け位置に取り付ける場合でも第２金具２０を第１金具１０に対して最も上の取り付け位置に取り付ける場合でもボルト４０が通る寸法に形成されている。
【００３２】
第２金具２０は、金属板を折り曲げることにより形成することができる。第２金具２０は、第１金具１０の左右の側片１４、１４間にわたるよう横長に形成された横片２１と、横片２１の上下端部からそれぞれ第１金具１０側に突出する被係合片２２と、を有する。第２金具２０は、縦断面が略コ字状に形成されている。
【００３３】
第２金具２０の被係合片２２の先端に、第１金具１０の係合部１５に係合され得る被係合部２３が形成されている。図示の実施形態では、第２金具２０は、第１金具１０の係合部をつかむような構成のつかみ金具として示されている。被係合部２３の形状は、係合部１５に物理的に係合する限り、図示したものに限定されない。係合部１５を複数の突部を有する波状に形成する場合は、被係合部２３は突部または突部間の凹部に係合され得る形状であればよく、被係合部２３の形状は、突部、凹部などであり得る。これらの構成により、第１金具１０に対する第２金具２０の取り付け位置は、第１金具１０の複数の突部１６のうち、第２金具２０の被係合部２３を係合させる突部１６を選択することによって段階的に調整することができる。
【００３４】
第２金具２０の横片２１には、上下方向に長い第２長孔２７が形成されている。この第２長孔２７内に締結具４０のボルトを通した際に、ボルトは、第２長孔２７内で上下に移動可能である。この構成により、詳細は後述するが、第２金具２０に対する架台２の取り付け位置は、第２長孔内でボルトが移動可能な範囲（つまり、第２長孔２７の最下部にボルトを取り付けた際のボルト位置を下端とし第２長孔２７の最上部にボルトを取り付けた際のボルト位置を上端とする範囲）内で連続的に調整することができる。第２長孔２７内でボルトが移動可能な範囲は、好ましくは第１金具１０の突部１６の間隔（ピッチ）以上であり、より好ましくは、第１金具１０の突部１６の間隔（ピッチ）と同じであるが、これらの関係には限定されない。第１金具１０の突部１６の間隔（ピッチ）以上であると、第１金具１０と第２金具２０との段階的な調整ではカバーできない範囲も連続的にカバーできる。第１金具１０の突部１６の間隔（ピッチ）と同じであると、第１金具１０と第２金具２０との段階的な調整ではカバーできない範囲も連続的にカバーしつつも、架台２に大きな荷重がかかった場合の架台２の移動を最小限に抑えることができる。
【００３５】
横片２１の両端部から第１金具１０側に向けてガイド片２４が延出されている。このガイド片２４は、第１金具１０の側片１４の外側に配置される。
【００３６】
第２金具２０の横片２１の上下端部から上片２５および下片２６がそれぞれ第１金具１０側に向けて延出されている。これらの上片２５および下片２６により、第２金具２０が補強されて、締結具４０により締結するときに第２金具２０の第２長孔２７付近にかかる荷重による撓みを防止することができる。また、これらの上片２５、下片２６、ガイド片２４により、第１金具１０と第２金具２０との取り付けのガタツキを防止することができる。
【００３７】
なお、図４および図６に示すように、第１金具１０の側片１４の外面にケガキ線１８を設けてもよい。ケガキ線１８は係合部１５に対応した位置に設けることができる。ケガキ線１８は、例えば、係合部１５の複数の突部のうち、基準の高さとなる突部に近接して設けられる。また、ケガキ線１８は複数設けてもよい。例えば、第２金具２０に設けた上下の被係合部２３の位置に対応して上下に一対設けてもよい。
【００３８】
ケガキ線１８が設けられている場合には、このケガキ線１８を目安にして、第２金具２０の被係合部２３を第１金具１０の係合部１５の適切な箇所に位置決めすることができる。ケガキ線１８は、刻印、色付けなどで形成することができる。
【００３９】
（ソーラーパネル用架台）
ソーラーパネル用架台２は、従来のものと同様に、複数の縦桟３５と複数の横桟とを備えた格子状の構成を有し、複数の縦桟３５は、屋根上で屋根の傾斜方向に沿って相互に平行に配設され、複数の横桟は、これらの縦桟３５上に相互に平行に掛け渡して配設される。
【００４０】
架台２を構成する縦桟３５、横桟は、アルミの押し出し形材など長尺な部材で構成することができる。図１、図２および図９に示すように、縦桟３５の側面には、長手方向に沿って横溝３６が設けられている。この横溝３６は、横向きの断面コ字状に形成されており、縦桟３５と高さ調整機能付き取付金具４の第１金具１０および第２金具２０とを締結するためのボルト４０の頭部がこの横溝３６内に収容される。このボルト４０の頭部は、横溝３６の長手方向に沿ってスライド可能である。
【００４１】
縦桟２の上片には、上溝３７が形成されている。この上溝３７は、上向きの断面コ字状に形成されており、ソーラーパネル枠３を固定するためのボルトの頭部がこの上溝３７内に収容される。このボルトの頭部は、上溝３７の長手方向に沿ってスライド可能である。
【００４２】
（施工法）
次に、高さ調整機能付き取付金具４を用いたソーラーパネル用架台２の折板屋根５０への固定方法を説明する。折板屋根５０は、図１および図２に示すように、既存のスレート屋根６に葺き替え金具７を取り付け、その葺き替え金具７を利用してスレート屋根６の上に取り付けられている。
【００４３】
高さ調整機能付き取付金具４を用いたソーラーパネル用架台２の折板屋根５０への固定方法は、折板屋根５０の上に取付ブラケット３０および高さ調整機能付き取付金具４の第１金具１０を固定する第１工程と、高さ調整機能付き取付金具４の第１金具１０に第２金具２０を組み付けて高さ調整機能付き取付金具４とソーラーパネル用架台２とを固定する第２工程とを含む。
【００４４】
第１工程では、葺き替え金具７の頂部に固定された上部ボルト８を利用して折板屋根５０の上に取付ブラケット３０を固定し、取付ブラケット３０の取付片３２に形成された孔と高さ調整機能付き取付金具４の第１金具１０のベース部１１に形成された孔にボルト・ナット等の締結具を通して締結することにより取付ブラケット３０に高さ調整機能付き取付金具４の第１金具１０を固定する。
【００４５】
第２工程は、次のようにして行われる。
【００４６】
まず、第２金具２０の被係合部２３が第１金具１０の係合部１５に係合するように、第２金具２０を第１金具１０に配置する。ここで、第２金具２０の各ガイド片２４は第１金具１０の側片１４の外側にそれぞれ配置されることになり、第２金具２０の上片２５および下片２６はそれぞれ第１金具１０の両側片１４の間に配置されることになる。
【００４７】
この状態で、第１金具１０の第１長孔１７および第２金具２０の第２長孔２７にボルト４０を通す。なお、ボルト４０の頭部は、架台２の側面に形成された横溝３６内に装着されていて、ボルト４０が第１長孔１７および第２長孔２７を通る位置へとスライド可能となっている。
【００４８】
次に、第２金具２０の横片２１の外側から座金を介してナットをボルト４０に締め付けることにより、架台２が第２金具２０側に引き寄せられ、架台２と第２金具２０との間で第１金具１０が挟みつけられて、第２金具２０が第１金具１０に組み付けられて高さ調整機能付き取付金具４とソーラーパネル用架台２とが固定される。この締め付けによって、第２金具２０の被係合部２３と第１金具１０の係合部１５とが確実に係合することになるため、第２金具２０が第１金具１０に対して上下に移動することが阻止される。
【００４９】
なお、第１金具１０に対する第２金具２０の取り付け位置は、第１金具１０の複数の突部１６のうち、第２金具２０の被係合部２３を係合させる突部１６を選択することによって調整することができる。この調整は、第１金具１０の突部１６の間隔（ピッチ）単位の段階的な調整である。図６（ａ)〜(ｃ)に取り付け位置を変更した例を示す。図６（ａ）は、第１金具１０に対する第２金具２０の取り付け位置が最も下にある場合を示し、図６（ｂ）は、図６（ａ）と比較して２つ上の突部１６に第２金具２０の被係合部２３を取り付けた場合を示し、図６（ｃ）は、図６（ｂ）と比較して２つ上の突部１６に第２金具２０の被係合部２３を取り付けた場合を示し、第１金具１０に対する第２金具２０の取り付け位置が最も上にある場合を示している。このような第２金具２０の被係合部２３を係合させる係合部１５を選択する際にケガキ線１８を目視にて確認しながら行ってもよい。
【００５０】
さらに、第２金具２０に対する架台２の取り付け位置は、第２金具２０に形成された第２長孔２７の範囲内でボルト４０の固定位置を変更することによって調整することができる。この調整は、第２金具２０に形成された第２長孔２７の範囲内での連続的な調整である。図７に取り付け位置を変更した例を示す。図７の左側の図は、ボルト４０を第２長孔２７の真中に取り付けた場合を示し、図７の右側の図は、ボルト４０を第２長孔２７の最上部に取り付けた場合を示す。なお、図６（ａ）では、ボルト４０は第２長孔２７の最下部に取り付けられており、図６（ｂ）では、ボルト４０は第２長孔２７の真中に取り付けられており、図６（ｃ）では、ボルト４０は第２長孔２７の最上部に取り付けられている。
【００５１】
背景技術で説明したとおり、６ｍｍ程度の厚さのスレート屋根の場合には、隣接するスレート屋根との重なり部は、重なり部以外と比較して、スレート屋根の厚さよりも大きな１０ｍｍ程度高さが異なる。そのようなスレート屋根に本発明の高さ調整機能付き取付金具４を用いる場合に、第１金具１０の突部１６の間隔（ピッチ）は、例えば、２ｍｍ〜１０ｍｍとすることができ、３〜８ｍｍが好ましく、最も好ましくはスレート屋根の厚みと同程度の６ｍｍとすることができる。また、第１金具１０の突部１６の間隔（ピッチ）を６ｍｍとした場合に、第２長孔２７内でボルトが移動可能な範囲（つまり、第２長孔２７の最下部にボルトを取り付けた際のボルト位置を下端とし第２長孔２７の最上部にボルトを取り付けた際のボルト位置を上端とする範囲）を第１金具１０の突部１６の間隔（ピッチ）と同じ６ｍｍとすることができる。第１金具１０の突部１６の間隔（ピッチ）と第２長孔２７内でボルトが移動可能な範囲がともに６ｍｍである場合には、図６（ａ）の場合の架台２の取り付け位置と図６（ｂ）の場合の架台２の取り付け位置との間の差、図６（ｂ）の場合の架台２の取り付け位置と図６（ｃ）の場合の架台２の取り付け位置との差は、ともに、第１金具１０の突部１６の間隔（ピッチ）×２＋第２長孔２７内でボルトが移動可能な範囲÷２の１５ｍｍであり、本発明の高さ調整機能付き金具４により架台２の取り付け位置を±１５ｍｍの範囲内で調整できる。
【００５２】
（上記実施の形態の他の効果）
上記実施の形態の高さ調整機能付き金具により、屋根に不陸がある場合等でもパネルの設置高さを調整してパネルの設置高さを揃えることができる。
【００５３】
それにより、パネル設置後の外観が低下することがない上に、高さの異なる一箇所に力が集中してしまうことを避けることができるのでパネルの設置強度の低下を防止することもできる。
【００５４】
第１金具の突部に、第２金具を嵌め込むことで、長孔にボルトをねじ込む場合に比べて強度に優れた金具を実現することができる。従って、想定外の荷重がかかった場合でも、長孔の下限まで第２金具および架台が滑り落ちることはない。つまり、本発明では第１金具と第２金具による第１の調整機構と、第２金具の第２長孔による第２の調整機構とを利用しているので、長孔だけを用いた場合と同様に広い範囲での高さ調整が行え、かつ架台の滑り落ちを第２長孔内で止めることができる。
【００５５】
第１金具の突部に、第２金具を嵌め込んだうえで、第２金具の長孔で高さ調整を行うことで、高精度な高さ調整が可能となる。
【００５６】
屋根に不陸があってもこの不陸に拘らず、架台の縦桟およびソーラーパネルを屋根の勾配角度と対応させて、架台の縦桟およびソーラーパネルを屋根と平行になるよう配置する作業を容易に行える。
【００５７】
（他の実施の形態）
以上のように、本発明の実施の形態を例示してきたが、他の実施の形態の例示も以下に示す。
【００５８】
高さ調整機能付き取付金具が適用される屋根として、上記実施の形態では、屋根仕上げ材が折板屋根となっている折板屋根葺き屋根について説明したが、屋根仕上げ材がスレートとなっているスレート葺き屋根でもよく、任意な屋根仕上げ材が用いられた屋根にも適用できる。
【００５９】
高さ調整機能付き取付金具により屋根の上に設置される設置物として、上記実施の形態では、太陽光発電のためのソーラーパネルについて説明したが、温水器でもよく、屋根看板でもよく、任意な設置物について適用することができる。
【００６０】
被設置物として、上記実施の形態では屋根について説明したが、地面など、設置物が可能であればどのような物でもよい。
【００６１】
上記実施の形態では、高さ調整について説明したが、横方向の位置調整あるいは斜め方向の位置調整にも本発明の固定器具を使用することができる。
【００６２】
上記実施の形態では、第１金具、第２金具と金属製の部材について説明したが、硬質の樹脂、セラミックスなどであってもよい。
【００６３】
上記実施の形態では、第１金具の係合部に第２金具の被係合部が２箇所で係合しているが、第２金具の１箇所で係合してもよく、あるいは第２金具の３箇所以上で係合してもよい。
【００６４】
上記実施の形態では、第１金具、第２金具および設置物を固定する固定部材として、ボルト・ナットを有する締結具について説明したが、同様の固定機能を有するものにも適用できる。また、上記実施の形態では、第１金具、第２金具および設置物を固定する固定部材として１つの締結具による固定について説明したが、第１金具と第２金具の固定に用いる固定部材と第２金具と設置物を固定する固定部材とが別のものであってもよい。
【００６５】
設置物固定可能範囲として、上記実施の形態では、長孔について説明したが、孔ではなく、一端が開口するスリット状の開口部などであってもよい。
【００６６】
配置順として、上記実施の形態では、被設置物に固定される第１金具が設置物と第２金具との間に配置される順序について説明したが、第２金具が第１金具と設置物との間に配置されてもよい。
【産業上の利用可能性】
【００６７】
本発明は、例えば、スレート屋根に折板屋根を敷設した二重構造の折板屋根に用いられる固定器具を提供する。
【符号の説明】
【００６８】
１  ソーラーパネル
２  設置物（架台）
４  固定器具（高さ調整機能付き取付金具）
１０  第１金具
２０  第２金具
４０  締結具
５０  折板屋根
【図３】
2016151158.tif 000003
【図４】
2016151158.tif 000004
【図５】
2016151158.tif 000005
【図６】
2016151158.tif 000006
【図７】
2016151158.tif 000007
【図８】
2016151158.tif 000008
【図１】
2016151158.tif 000009
【図２】
2016151158.tif 000010
【図９】
2016151158.tif 000011